(57)【要約】【課題】本発明の課題は、長尺で直管型のＬＥＤ照明灯の内部に配置される長尺な基板の一方面に配置されたＬＥＤの光りを基板の反対側まで通して灯具の反射板に反射させ而も何らかの模様などが顕著に生じることがない構造を提案することで、照明装置が全体として明るくなるように基板構造を改良したＬＥＤ照明灯装置を提供することである。【解決手段】本発明は電気的絶縁性を有する基板に複数個のＬＥＤ及びこれらのＬＥＤを電気的に繋ぎ電源に接続された回路を配置し、当該基板を電気的絶縁性の透明基板の一定輪郭内に納めて基板本体を形成し、該基板本体を縦断面円形の照明管内に収納し、該照明管の両端を口金で封止し、外部から電力を前記照明管内のＬＥＤに供給して該ＬＥＤを点灯してなり、前記透明基板の前記基板が配置されない箇所にも前記ＬＥＤ光を通すようにしたことを特徴とするＬＥＤ照明灯装置。【選択図】図１
2011048924.tif 000002
【特許請求の範囲】
【請求項１】
電気的絶縁性を有する基板に複数個のＬＥＤ及びこれらのＬＥＤを電気的に繋ぎ電源に接続される回路を配置し、当該基板を電気的絶縁性の透明基板の一定輪郭内に納めて基板本体を形成し、該基板本体を縦断面円形の照明管内に収納し、該照明管の両端を口金で封止し、外部から電力を前記照明管内のＬＥＤに供給して該ＬＥＤを点灯してなり、前記透明基板の前記基板が配置されない箇所にも前記ＬＥＤ光を通すようにしたことを特徴とするＬＥＤ照明灯装置。
【請求項２】
前記照明管内に挿入できる長尺な前記透明基板の中央付近にＬＥＤ及び回路を電気的に結線した基板を設けてなることを特徴とした請求項１記載の基板本体。
【発明の詳細な説明】
【技術分野】
【０００１】
本発明は、例えばポロカーボネイトその他のプラスチック材で形成される直管型のＬＥＤ照明灯に係わり、当該ＬＥＤ照明灯に内蔵されているＬＥＤを搭載する基板を改良したＬＥＤ照明灯装置に関する。特に全てのＬＥＤの光りが一定方向に照射される反対側にもＬＥＤ光が行くようにしたものである。
【背景技術】
【０００２】
従来の蛍光灯を模した直管型のＬＥＤ照明灯は、ポリカーボネイト等の素材を管状に形成して、この内部に電気的に接続される回路に繋げたＬＥＤを長尺な基板の一面に多数配して、このＬＥＤを点灯して蛍光灯に代る照明器具としている。そしてその省エネ故に普及が急がれている。この場合、内部の基板の一方向面に回路及びＬＥＤを配置する構造を採用している。この為、一面のＬＥＤの光りが基板の反対側に通らず灯具の反射板を有効に利用できない構造になっている。
【０００３】
従って、ＬＥＤ照明灯を天井に取り付けた場合下向きにはＬＥＤ光が照射されるが、天井側の灯具の反射板で反射する光は基板に邪魔されるために生じないので天井側が暗く全体的に暗いイメージが生じる。これを解消する為に回路を工夫してＬＥＤの数を増やして照度を上げることも考えられるが、熱が生じてＬＥＤの寿命を短くする問題が生じる。従ってＬＥＤの数を増やさずに全体的に明るくなるように灯具の反射板が効率的に利用できる工夫が望まれている。
【０００４】
従来、灯具の反射板を有効に利用するＬＥＤの長尺な直管型の照明灯は無く、特許文献１はＬＥＤを搭載した基板を配する為に重くなり、管が途中で撓まないように管内に支持ピン、支持材などを工夫して配置することで長い管がたるまないように配慮している技術が存在するだけである。
【特許文献１】特開２００２−１４１５５５号公報
【発明の開示】
【発明が解決しようとする課題】
【０００５】
本発明が解決しようとする問題点は、長尺で直管型のＬＥＤ照明灯の内部に配置される長尺な基板の一方面に配置されたＬＥＤの光りを基板の反対側まで通して灯具の反射板に反射させ而も何らかの模様などが顕著に生じることがない構造を提案することで、照明装置が全体として明るくなるように基板構造を改良したＬＥＤ照明灯装置を提供することである。
【課題を解決するための手段】
【０００６】
本発明は課題解決の手段として、電気的絶縁性を有する基板に複数個のＬＥＤ及びこれらのＬＥＤを電気的に繋ぎ電源に接続された回路を配置し、当該基板を電気的絶縁性の透明基板の一定輪郭内に納めて基板本体を形成し、該基板本体を縦断面円形の照明管内に収納し、該照明管の両端を口金で封止し、外部から電力を前記照明管内のＬＥＤに供給して該ＬＥＤを点灯してなり、前記透明基板の前記基板が配置されない箇所にも前記ＬＥＤ光を通すようにしたことを特徴とするＬＥＤ照明灯装置である。
【発明の効果】
【０００７】
請求項１、２記載の発明によれば、長尺な管であっても内部の基板に搭載されたＬＥＤ照明光を基板の一面だけでなく、反対側にまで導くのでこれが灯具の反射板に反射して全体的に明るくなり、しかも特定の模様が生じることがなく、ＬＥＤの熱拡散にも効果的で、従って、ＬＥＤ自体の寿命を短くすることもないので大いに効果的である。
【発明を実施するための最良の形態】
【０００８】
本発明は、ＬＥＤ及び回路が搭載される長尺な電気的絶縁性を有する基板を従来より幅狭にし、この幅狭の基板を透明なセラミック或いはポリカーボネイトといった長尺で照明管の内部の直径に亘る幅を有する透明基板の中央に設置し、透明基板の側縁部を通してＬＥＤ光を基板の反対側（照明管の上側）に導き、照明管の外に位置的に設置された反射板で反射することによって反射板自体が明るくなり、此の反射板で反射された光は反射されない光り（照明管の下側）と一緒になり下側に照らされ全体的に明るくできるものである。
【０００９】
以下に、本発明の実施例に係るＬＥＤ照明灯装置を図１、図２、図３，図４，図５を参照して詳細に説明する。
【００１０】
本実施例に係る照明管１は例えばポリカーボネイト製で長さは１２００ミリ程度、外径は２９ミリ〜３０ミリ程度、肉厚は薄い薄肉部Ｋの付近で０．９ミリ程度で、肉厚が厚い肉厚部Ｓの付近で１，８ミリ程度に選定する。次ぎに照明管１の中央部分には直径線上に対向する側を開いた断面コ字型の桟４、５を形成する。桟４、５には図２の基板本体６が基板３のＬＥＤ２側を図３，図４及び図５で示すように下向きにして挿入固定される。
【００１１】
前記基板本体６は光り拡散性、熱放出性の良いポリカーボネイト或いはセラミックなどの材料を選定した透明性の透明基板７で、此の中央を前記基板３が挿入できる寸法で額縁状に形成した窓７に前記基板３を挿入配置したものである。即ち照明管１の内側の肉厚箇所側にはＬＥＤ２（４１i〜４１n）は配置せず、照明管１の肉薄箇所側にＬＥＤ２（４１i〜４１ｎ）が配置されることになるわけである。之によって、照明管１の外径を変更せずに丸の状態で強度を増すことができる。
【００１２】
尚、前記基板本体６を形成する場合、前記透明基板７と基板３とを額縁状に段付き周縁８（図１を参照）を形成し、これに前記基板３を矢印U方向から挿入固定する、この際、周縁に接着剤を用いた接着手段でもよい。又、この接着手段は基板３上でのLED２が発熱する熱を十分に透明基板７に伝達できるように考慮する。
【００１３】
図３は図２のＨ−Ｈ線断面で図２をひっくり返した状態のもので、左右の透明基板７の段付き周縁８にLED２を搭載した基板３が額縁上に挿入固定されていることを示したもので、図３で回路９がＬＥＤ２の側に近く配置される。即ち、既存の基板３の短手幅は２６ｍｍ程、ＬＥＤは基板３の短手幅の側縁からの寸法を左右で１０ｍｍの中央箇所に設置、回路９は基板３の短手幅の側縁から左右で４ｍｍであるのに対し、本発明は基板３の短手幅の側縁を左右７〜８ミリ少なくし短手幅１８〜１９ミリとし、この中央にLED２を配置し、此のLED２の左右に回路９を形成している。回路９は寸法的に基板３の短手幅の最周縁からLED２迄の間に十分形成できるものである。このように形成した基板３を透明基板７に嵌め込んだものである。
【００１４】
図４、図５によると、ＬＥＤ２の光りは下向きに矢印Ｑに向かうが上側Ｇへの光りも生じ、此の光りが前記透明基板７、照明管１の肉厚部Ｓを通って外部（通常、天井から吊り下げられた照明灯具）の反射板１０で反射されて反射の光りＹとなって前記矢印Ｑの光りとともに反射板１０の下側に照射される。従って、光りの通らない照明管１の内側の直径線上全幅亘って配置された従来の基板は基板の裏側にＬＥＤ２の光りが通らなかったものが本発明は基板３の短手方向の幅を小さくし、この基板３を透明基板７の額縁状に窓で開口した段付き周縁８にはめ込み、照明管１内に配したのでLED２の光りが透明基板７の周縁から反射板１０側の方向にも伝わり全体的に周囲が明るくなるものである。
【００１５】
図５は照明管１に本案の基板本体６を挿入する場合を示したもので、基板本体６の短手幅側の側縁を桟５，４が挟むことができる桟５，４のコ字型の寸法としていて、此の桟５，４に透明基板７を合わせて照明管１内に矢印Ｚ方向から挿入配置する。此の図ではＬＥＤ２、回路９は図面の下側に配置された状態になるので図面上現れていない。之によって基板３の左右に透明部が形成できているからＬＥＤ２の光りは透明基板７の透明部を通って反射板１０に達するのである。
【００１６】
尚、実際には前記回路９は基板３より延出し、透明基板７上に連続形成して図示しない口金を介して外部の回路に繋げても良く、また所謂ジャンパー線の様な方法で回路９から口金を経て外部の回路に接続してもよい。また、透明基板７はセラミックで有れば放熱性が良いがその他の材料でも放熱性、透明性、光り拡散性がよいものであれば各種利用できるものである。又透明基板７は中央部で額縁状に切り開き、之に基板３を取り付けたがガラスの場合中央に額縁状が実質的に形成できれば如何なる形状でもまた如何なる組み合わせでもよく、本発明は要旨を逸脱しない範囲で種々応用が可能で有ることもちろんである。
【産業上の利用可能性】
【００１７】
本発明のＬＥＤ照明灯装置は透明基板の透明部を通して光りが照明灯具の反射板で反射されるのが確認できた効果があるので産業上有用であり、効果的に市場に提供できるものである。
【図面の簡単な説明】
【００１８】
【図１】本発明の実施例を説明するための基板本体の組み立て斜視図である。
【図２】本発明の実施例を説明する為の図１の組み立て完了斜視図である。
【図３】本発明の実施例を説明する為の図２の矢印Ｈ−Ｈ断面図である。
【図４】本発明の実施例を説明する為の照明管に基板本体を取り付けた断面図である。
【図５】本発明の実施例を説明する為の照明管に基板本体を装着する場合の斜視図である。
【符号の説明】
【００１９】
１                照明管
２（４１i〜４１n）ＬＥＤ
３                基板
４、５            桟
６                基板本体
７                透明基板
８                段付き周縁
９                回路
１０              反射板
Ｋ                肉薄部
Ｓ                肉厚部
【図１】
2011048924.tif 000003
【図２】
2011048924.tif 000004
【図３】
2011048924.tif 000005
【図４】
2011048924.tif 000006
【図５】
2011048924.tif 000007